(57)【要約】本発明は足裏の反射区を選択的に刺激できる指圧靴下であって、靴下の形を決定する生地と、足反射区を選択的に刺激できるように靴下の生地に取り付けられている複数の指圧突起とを含むことを特徴とする。
2007503531.tif 000002
【特許請求の範囲】
【請求項１】
足裏の反射区を選択的に刺激できる指圧靴下であって、
靴下の形を決定する生地と；
足反射区を選択的に刺激できるように靴下の生地に取り付けられている複数の指圧突起と；
を含むことを特徴とする、指圧靴下。
【請求項２】
前記指圧突起は、セラミックやチャコールパウダーを含むポリ塩化ビニルからなることを特徴とする、請求項１に記載の指圧靴下。
【請求項３】
前記指圧突起は、靴下の生地の内外側面の中で少なくとも一方に取り付けられていることを特徴とする、請求項１に記載の指圧靴下。
【請求項４】
足裏の反射区を選択的に刺激できる指圧靴下であって、
足裏における足指の最先端から踵の最後端までの距離を２５等分して順次的に各等分別識別番号をA〜Ｚと命名し、更に足裏における最内側端から最外側端までの距離を１０等分して順次的に各等分別識別番号を１〜１０と命名するとき、左右側の各足裏に（１）腎臓反射区J5、J６、K５、K６、L５、L６、（３）輸尿管反射区M４、N４、O３、O4、P３、P4及び（４）膀胱反射区Q２、Q３、R２、R３、S２、S３に相応するように指圧突起を配置したことを特徴とする、指圧靴下。
【請求項５】
左右側足裏の（２）副腎反射区H5、H6、（１４）甲状腺反射区E３、F３、F４、G４、H４、I３、I４、J2、J3、（１３）副甲状腺反射区Ｅ１、Ｆ１（Ｅ１、Ｆ１部分に接する足の内側面部位を部分的に含む）及び（６）脳下垂体反射区B２、B３、C２に相応する部位及び左側の足裏のみにある（１９）心臓反射区Ｉ８、Ｉ９部位に指圧突起を更に配置したことを特徴とする、請求項４に記載の指圧靴下。
【請求項６】
左右側の足裏の（１４）甲状腺反射区E３、F３、F４、G４、H４、I３、I４、J2、J3、（１３）副甲状腺反射区E１、F１、（６）脳下垂体反射区B２、B３、C２、及び（３５）生殖腺反射区Ｗ４、W５、W６、W７、X４、X５、X６、X７、Y４、Y５、Y６、Y７とともに、両足の外踝の下方に位置した（α）生殖腺反射区、両足の内踝の下方に位置した（β）前立腺反射区、両足の内側の前立腺の傍から下方へ傾いて位置した（γ）尿道反射区、及び両足の内側の前立腺の下方に位置した（δ）尾骨反射区、尾骨反射区から内側へ一直線上に位置する（ε）腰椎反射区、（ζ）胸椎反射区、（η）頚椎反射区を更に配置したことを特徴とする、請求項４に記載の指圧靴下。
【請求項７】
左右側足裏の（６）脳下垂体反射区B２、B３、C２及び（１０）大脳反射区D３に相応するように配置された多数個の半球状の突起を更に含むことを特徴とする、請求項４に記載の指圧靴下。
【発明の詳細な説明】
【技術分野】
【０００１】
本発明は、指圧靴下に関し、より詳しくは目的別に特定部位の足裏の反射区だけを指圧突起が刺激できるように配列することで指圧効果を極大化した指圧靴下に関するものである。
【背景技術】
【０００２】
周知のように、足には人体の臓腑が縮小されており、この臓腑の各部分、つまり腎臓、心臓、小脳、大脳などと関連した経絡と指圧点が分布している。これらの経絡及び指圧点を西洋では足反射区（ＦＯＯＴ ＲＥＦＬＥＸ ＺＯＮＥ）と称し、このような足反射区に刺激を加えると、それに対応する人体、即ち臓器の機能を調節することができ、気血を調節することによって体内の精気を増強させて免疫力を上げることができる。このため、病気を予防し、健康を保つことができるとよく知られている。
【０００３】
現代社会は大抵歩くより自動車や地下鉄などを用いることで人々が足裏の足反射区を刺激する作用も減っている点に着目して靴下の靴底などに指圧突起を設置した指圧靴下が開発されてきた。
【０００４】
図１は一般的な指圧靴下の形態を示す図であって、足裏の全面に亘って指圧突起を配列した構造からなっている。
【０００５】
図２及び図３は韓国特許公開第２０００−００６３９０５号（２０００．１１．０６）に開示された従来の指圧靴下の一例を示す図であって、部分指圧突起付き靴底及びその製造方法を開示している。
【０００６】
同図に示すように、全ての足裏に対して部分的には指圧突起を設置し、残りの部分は指圧突起を配置しない形態をとることで、指圧突起の設置された部分における衝撃を、指圧突起未設置部分で吸収する原理を利用するものである。
【０００７】
しかし、図１、図２及び図３に示したように、従来の指圧靴下は指圧突起の位置をランダムに選択して規則的な形態で多数を配列することで、同時に多くの足反射区を刺激する形態をとっているので、その効果が半減するという問題がある。つまり、人体がある刺激を受けた場合、人体の多くの部分でその刺激を分けて受けるため、その分だけ刺激の効果が分散するという問題をもっている。
【０００８】
また、前記指圧突起は大抵小さな円形構造であって、指圧突起の位置を規則的なパターンで多数個を配列した模様になっている。図４に示したように、足反射区の形態は大部分その形状が相異なるように形成されているので、小さな円形になっている指圧突起の位置を規則的な形態で多数個配置するだけでは、足裏の足反射区を刺激して臓器の機能及び気血などを強く調節するわけにないかない。したがって、体内の精気を増強させるか、免疫力を育てることで病気の予防及び改善に十分な効果が得られないという不都合がある。
【０００９】
即ち、図４に示したように足裏には人体の臓腑が縮小されており、該臓腑は３５個の反射区からなる。
【００１０】
ところが、従来の指圧突起は、多数の反射区、たとえば（１）腎臓反射区、（３）輸尿管反射区、（４）膀胱反射区、（２）副腎反射区、腹腔神経叢反射区、（５）前頭洞反射区、（１１）首及び筋肉反射区、（１４）甲状腺反射区、僧帽筋反射区、耳反射区、（９）鼻反射区、胃反射区、胆嚢反射区、盲腸反射区など、を全部指圧するか、或いは反射区１つだけを指圧する形態からなっており、目的によって反射区を集中的に刺激することはできない。
【発明の開示】
【発明が解決しようとする課題】
【００１１】
従って、本発明は、上述した問題点を解消するために案出されたもので、その目的は、従来は規則的に指圧突起を配置することで刺激の効果が分散したことに対し、特定の反射区だけを集中的に刺激することにより肥満抑制、精力増強又は背が高くなる効果を極大化することである。
【００１２】
本発明の他の目的は、指圧突起を靴下に適用することにより、従来の指圧靴下を使用するときより、刺激期間及び刺激範囲を増加させることができるようにするものである。
【課題を解決するための手段】
【００１３】
前述の目的を達成するために、本発明による指圧靴下は、足裏の反射区を選択的に刺激できる指圧靴下であって、靴下の形を決定する生地と、足反射区を選択的に刺激できるように靴下の生地に取り付けられている複数の指圧突起と、を含むことを特徴とする。前記指圧突起は、セラミックやチャコールパウダーを含むポリ塩化ビニルからなる。
【００１４】
また、前記指圧突起は、靴下の生地の内外側面の中で少なくとも一方に取り付けられている。
【００１５】
更に、足裏における足指の最先端から踵の最後端までの距離を２５等分して順次的に各等分別識別番号をＡ〜Ｚと命名し、更に足裏における最内側端から最外側端までの距離を１０等分して順次的に各等分別識別番号を１〜１０と命名するとき、左右側の各足裏に（１）腎臓反射区Ｊ５、Ｊ６、Ｋ５、Ｋ６、Ｌ５、Ｌ６、（３）輸尿管反射区Ｍ４、Ｎ４、Ｏ３、Ｏ４、Ｐ３、Ｐ４及び（４）膀胱反射区Ｑ２、Ｑ３、Ｒ２、Ｒ３、Ｓ２、Ｓ３に相応するように指圧突起を配置した 。
【００１６】
図６に示すように、前記指圧突起は、基本反射区［（１）腎臓反射区Ｊ５、Ｊ６、Ｋ５、Ｋ６、Ｌ５、Ｌ６、（３）輸尿管反射区Ｍ４、Ｎ４、Ｏ３、Ｏ４、Ｐ３、Ｐ４及び（４）膀胱反射区Ｑ２、Ｑ３、Ｒ２、Ｒ３、Ｓ２、Ｓ３］に相応するように配置されている。心臓からポンプして出た血液が足先に至ると、再び心臓に向かって上がるが、これは腎臓にてこし取られる。腎臓は、適切な水分および電解質バランスを維持し、酸塩基の濃度を調節し、代謝廃棄物の血液をこし取るために機能する重要な器官である。
【００１７】
また、輸尿管は尿を膀胱まで運搬するか、体外へ排出する管である。そして、膀胱は腎臓から送る老廃物（尿など）を貯蔵し、一定量になると排出する臓器である。（１）腎臓反射区Ｊ５、Ｊ６、Ｋ５、Ｋ６、Ｌ５、Ｌ６は、２番目と３番目の足指の下に八字状に交差する地点の下に凹んでいる所に位置している。（４）膀胱反射区Ｑ２、Ｑ３、Ｒ２、Ｒ３、Ｓ２、Ｓ３は、両足内側の踝の下方に少し盛り上がっている箇所に位置している。（３）輸尿管反射区Ｍ４、Ｎ４、Ｏ３、Ｏ４、Ｐ３、Ｐ４は、（１）腎臓反射区Ｊ５、Ｊ６、Ｋ５、Ｋ６、Ｌ５、Ｌ６と（４）膀胱反射区Ｑ２、Ｑ３、Ｒ２、Ｒ３、Ｓ２、Ｓ３とを連結する部位に位置している。かかる基本反射区［（１）腎臓反射区Ｊ５、Ｊ６、Ｋ５、Ｋ６、Ｌ５、Ｌ６、（３）輸尿管反射区Ｍ４、Ｎ４、Ｏ３、Ｏ４、Ｐ３、Ｐ４及び（４）膀胱反射区Ｑ２、Ｑ３、Ｒ２、Ｒ３、Ｓ２、Ｓ３］を刺激すると、腎臓から送る老廃物（尿など）が輸尿管を介して移動し、膀胱を介して排出されるようになる。即ち、円滑でかつ迅速な血液循環によって老廃物の移動及び排出を活性化するに供する。
【００１８】
このように本発明は足裏を不規則的で且つ任意に刺激することではなく、特定の反射区だけを全体として集中的に刺激することにより、目的によってその効果を極大化させることができる。
【００１９】
また、図６に示すように、左右側の足裏の（２）副腎反射区Ｈ５、Ｈ６、（１４）甲状腺反射区Ｅ３、Ｆ３、Ｆ４、Ｇ４、Ｈ４、Ｉ３、Ｉ４、Ｊ２、Ｊ３、（１３）副甲状腺反射区Ｅ１、Ｆ１（Ｅ１、Ｆ１部分に接する足の内側面部位を部分的に含む）及び（６）脳下垂体反射区Ｂ２、Ｂ３、Ｃ２に相応する部位及び左側の足裏のみにある（１９）心臓反射区Ｉ８、Ｉ９を更に配置して利用すれば肥満防止及びダイエットに効果的である。
【００２０】
また、左右側の足裏の（１）腎臓反射区Ｊ５、Ｊ６、Ｋ５、Ｋ６、Ｌ５、Ｌ６、（３）輸尿管反射区Ｍ４、Ｎ４、Ｏ３、Ｏ４、Ｐ３、Ｐ４及び（４）膀胱反射区Ｑ２、Ｑ３、Ｒ２、Ｒ３、Ｓ２、Ｓ３に相応する部位に配置された小さな指圧突起の指圧効果として得られる円滑で且つ迅速な血液循環によって老廃物の移動及び排出を助ける効果に基づいて、左右側の足裏の（１４）甲状腺反射区Ｅ３、Ｆ３、Ｆ４、Ｇ４、Ｈ４、Ｉ３、Ｉ４、Ｊ２、Ｊ３、（１３）副甲状腺反射区Ｅ１、Ｆ１、（６）脳下垂体反射区Ｂ２、Ｂ３、Ｃ２、及び（３５）生殖腺反射区Ｗ４、Ｗ５、Ｗ６、Ｗ７、Ｘ４、Ｘ５、Ｘ６、Ｘ７、Ｙ４、Ｙ５、Ｙ６、Ｙ７とともに、両足の外踝の下方に位置した（α）生殖腺反射区、両足の内踝の下方に位置した（β）前立腺反射区、両足の内側面の前立腺の傍から下後方へ傾いて位置した（γ）尿道反射区、両足の内側面の前立腺の下方に位置した（δ）尾骨反射区、尾骨反射区から前方へ一直線上に位置する（ε）腰椎反射区、（ζ）胸椎反射区、及び（η）頚椎反射区を集中的に刺激すると精力増強に効果を得ることができる。
【００２１】
更に、左右側足裏の（１）腎臓反射区Ｊ５、Ｊ６、Ｋ５、Ｋ６、Ｌ５、Ｌ６、（３）輸尿管反射区Ｍ４、Ｎ４、Ｏ３、Ｏ４、Ｐ３、Ｐ４及び（４）膀胱反射区Ｑ２、Ｑ３、Ｒ２、Ｒ３、Ｓ２、Ｓ３に相応する部位に配置された小さな指圧突起の指圧効果として得られる円滑で且つ迅速な血液循環によって老廃物の移動及び排出を助ける効果に基づいて、左右側足裏の（６）脳下垂体反射区Ｂ２、Ｂ３、Ｃ２及び（１０）大脳反射区Ｄ３に相応する部位に指圧突起を更に配置して集中的に刺激すると、子供たちの背が高くなる効果が得られる。
【発明の効果】
【００２２】
本発明によれば、指圧突起を特定の目的、例えば肥満抑制、精力増強、背を高くするなどの目的に応じて、特定部位の足反射区だけを刺激することで、その指圧効果を向上させることができる。
【００２３】
また、指圧突起を靴下に適用することにより、足裏の足反射区だけでなく、足の甲、踝付近などのようなすべての足に亘って配置された反射区を効率よく刺激することができる。
【発明を実施するための最良の形態】
【００２４】
以下、添付図面を参照して本発明の好適な実施形態を詳細に説明する。
【００２５】
図４は、説明の便宜上、 足裏における足指の最先端から踵の最後端までの距離を２５等分して順次的に各等分別識別番号をＡ〜Ｚと命名し、更に足裏における最内側端から最外側端までの距離を１０等分して順次的に各等分別識別番号を１〜１０と命名して各足反射区の位置を表示したものである。
【００２６】
図５及び図６は、本発明による指圧靴下に適用された指圧突起の構造をそれぞれ示す図である。図５に示したように、指圧突起１０はセラミックやチャコールパウダーを含む液相のポリ塩化ビニル（ＰＶＣ）を、各指圧突起に相応する形状の溝を有する型に入れた後、シルク印刷板を介して印刷した後、熱乾燥機に通過させて指圧突起１０が靴下内側の生地１１に取り付けられる。前記指圧突起１０は靴下の内側へ突出する半球状を有する。これらの指圧突起は複数の足反射区を選択的に刺激できるように靴下の内側に選択的に取り付けられる。
【００２７】
一方、図６に示したように、指圧突起１０は、セラミックやチャコールパウダーを含む液相のポリ塩化ビニル（ＰＶＣ）を、各指圧突起に相応する形状の溝を有する型に入れた後、シルク印刷板を介して印刷した後、熱乾燥機に通過させて指圧突起１０が靴下外側の生地１１に取り付けられる。前記指圧突起は靴下の外側へ突出する半球状を有する。
【００２８】
例えば、１０重量％のセラミックや１０重量％のチャコールを９０重量％のＰＶＣと混合した後、前記混合物を約１７０℃程度の温度で約３分間熱を加えると、前記混合物は液相に変わるようになる。このとき、使用される１０重量％のセラミックはバイオセラミックをほぼ９０重量％以上使用することが好ましい。このように液化した混合物を指圧突起の形状に合わせた溝を有する型に入れて、シルク印刷を介して印刷した後、熱乾燥機を通過させると、前記液相の混合物は一定した時間が経た後、固化して靴下に所定の形状で取り付けられる。
【００２９】
一方、図５及び図６に示すように、指圧突起は各反射区に相応するように配置されている。また、各指圧突起は全体として１つでも、或いは複数個の小さな突起の組合せでも形成できる。この際、指圧突起は円形磁石、四角磁石で製作してもよい。
【００３０】
図７は、本発明による肥満予防及びダイエット効果を有する指圧突起の配置を示す図であって、左右側の足裏の（１）腎臓反射区Ｊ５、Ｊ６、Ｋ５、Ｋ６、Ｌ５、Ｌ６、（３）輸尿管反射区Ｍ４、Ｎ４、Ｏ３、Ｏ４、Ｐ３、Ｐ４及び（４）膀胱反射区Ｑ２、Ｑ３、Ｒ２、Ｒ３、Ｓ２、Ｓ３に基づいて、これに合わせて左右側足裏の（２）副腎反射区Ｈ５、Ｈ６、（１４）甲状腺反射区Ｅ３、Ｆ３、Ｆ４、Ｇ４、Ｈ４、Ｉ３、Ｉ４、Ｊ２、Ｊ３、（１３）副甲状腺反射区Ｅ１、Ｆ１（Ｅ１、Ｆ１部分に接する足の内側面部位を部分的に含む）及び（６）脳下垂体反射区Ｂ２、Ｂ３、Ｃ２及び、左側の足裏のみにある（１９）心臓反射区Ｉ８、Ｉ９部位に指圧突起を更に集中的に配置した。
【００３１】
特に、（１３）副甲状腺反射区Ｅ１、Ｆ１に相応する部位は足裏だけでなく、Ｅ１、Ｆ１部分の延長線に接する足の内側面の部位を部分的に含むので、これらの部分にも指圧突起を更に配置した。
【００３２】
以下、肥満に関連した各反射区を説明すると次のようである。
【００３３】
一般に、肥満は摂取する栄養分に比して肉体的活動を通したエネルギーの消費が少ないことが基本原因となる。すなわち、食事を介して摂取される熱量が消費される熱量より多くて余分の熱量が皮下脂肪又は脂肪組織に変わって体内に正常時より多く蓄積されると肥満症になる。体重を減らそうとする人の中には、実際に腹や太股、腕など特定の部位がなかなか落ちなくて悩む場合がある。かかる肥満症の大部分は、内分泌線の異常、若しくは内分泌線相互間の異常に起因する。内分泌線とは、脊椎動物において脳下垂体（前葉、中葉、後葉）、甲状腺、副甲状腺、副腎などが挙げられ、このような内分泌線は互いの活動に影響を及ぼす相互作用もする。かかる内分泌線をそれぞれ察してみれば、人体内における甲状腺は、喉頭の前面甲状軟骨の下方に位置し、心臓の拍動数を一定に維持させ、体内の酸素量を調節する。甲状腺の機能に障害が生じると、酸素消費量が減り肥満症が生じ易く、皮膚が乾燥になり、動作が無気力となる。（１４）甲状腺反射区Ｅ３、Ｆ３、Ｆ４、Ｇ４、Ｈ４、Ｉ３、Ｉ４、Ｊ２、Ｊ３は、足の親指の下方の中間と親指と２番目の足指との間に位置する。（１４）甲状腺反射区Ｅ３、Ｆ３、Ｆ４、Ｇ４、Ｈ４、Ｉ３、Ｉ４、Ｊ２、Ｊ３を刺激すると、甲状腺機能の向上を促進し、殊に肥満に特効がある。人体内における脳下垂体は、大脳の下方に位置した楕円体からなる内分泌機関であって、硬く、そのサイズは、長さ９〜１１ＭＭ、幅７〜９ＭＭ、高さ６〜８ＭＭ、重さ０．７〜０．８Ｇである。脳下垂体は、前葉、中葉、後葉の三部分に分けられ、ここでは各種のホルモンが分泌されるが、この中で前葉から甲状腺刺激ホルモンが分泌され、このホルモンは甲状腺のホルモン生成及び分泌を促進させる作用をする。（６）脳下垂体反射区Ｂ２、Ｂ３、Ｃ２は、足の親指の中央に指紋がうずまく地点に位置している。（６）脳下垂体反射区Ｂ２、Ｂ３、Ｃ２を刺激すると、甲状腺のホルモン生成及び分泌を促進する甲状腺刺激ホルモンを分泌させることにより肥満に良い効果がある。人体内における副腎及び副甲状腺は、ステロイドホルモンが分泌される内分泌線であって、甲状腺の活動に影響を及ぼす相互作用をする。（２）副腎反射区Ｈ５、Ｈ６は、（１）腎臓反射区Ｊ５、Ｊ６、Ｋ５、Ｋ６、Ｌ５、Ｌ６の直上に位置する。（１３）副甲状腺反射区Ｅ１、Ｆ１は足の親指の根元部分の下方の凹部に位置する。（２）副腎反射区Ｈ５、Ｈ６や（１３）副甲状腺反射区Ｅ１、Ｆ１を刺激し、これにより甲状腺の活動を活性化させることで、その結果、肥満防止及び抑制によい効果がある。また、人体内における心臓と肥満との関係を調べると、肥満によって増えた体重のため心臓の反復運動が増加し、このため心臓機能の弱化及び左心室の機能障害を引き起こすようになる。
【００３４】
心臓反射区Ｉ８、Ｉ９は、左側の４番目の足指と小指との間の下方に膨らんでいる肉の下にあるくぼみに位置する。（１９）心臓反射区Ｉ８、Ｉ９を刺激することにより心臓機能を向上させて肥満に良い効果がある。
【００３５】
図８乃至図１５は、本発明の他の実施形態による多様な指圧突起の配置を示す図である。図８に示すように、左右側の足裏の（１）腎臓反射区Ｊ５、Ｊ６、Ｋ５、Ｋ６、Ｌ５、Ｌ６、（３）輸尿管反射区Ｍ４、Ｎ４、Ｏ３、Ｏ４、Ｐ３、Ｐ４及び（４）膀胱反射区Ｑ２、Ｑ３、Ｒ２、Ｒ３、Ｓ２、Ｓ３に基づいて、これに合わせて左右側足裏の（１４）甲状腺反射区Ｅ３、Ｆ３、Ｆ４、Ｇ４、Ｈ４、Ｉ３、Ｉ４、Ｊ２、Ｊ３、（１３）副甲状腺反射区Ｅ１、Ｆ１（６）脳下垂体反射区Ｂ２、Ｂ３、Ｃ２、及び（３５）生殖腺反射区Ｗ４、Ｗ５、Ｗ６、Ｗ７、Ｘ４、Ｘ５、Ｘ６、Ｘ７、Ｙ４、Ｙ５、Ｙ６、Ｙ７に相応する部位に指圧突起を更に配置した。
【００３６】
また図８乃至図１５は精力増強に関連した指圧突起の配置を示している。前記指圧突起は、（α）生殖腺反射区、（β）前立腺反射区、（γ）尿道反射区、（δ）尾骨反射区、（ε）腰椎反射区、（ζ）胸椎反射区、（η）頚椎反射区に相応する部位に指圧突起を配置した。
【００３７】
以下、精力増強に関連した各反射区を説明すると次の通りである。
【００３８】
（α）生殖腺反射区は、足底における踵の中央と外踝の下後方に位置しており、不眠症、男女性機能減退、男女不妊症、生理不順、前立腺肥大に効果がある。
【００３９】
（β）前立腺反射区は、両足の内踝の下後方に位置しており、この機関は女性の子宮に該当する男性の機関である。前立腺を刺激すると、前立腺炎、小便困難、血尿症などに効果がある。
【００４０】
（γ）尿道反射区は、両足の内踝の下方に位置する。尿道は尿などの老廃物が体外へ排出される通路であって、排尿困難、尿道炎などに効果がある。
【００４１】
（δ）尾骨反射区は、前立腺の下方に位置し、骨盤を強化する役割をする。
【００４２】
（ε）腰椎反射区は、尾骨反射区から前方へ一直線上に位置する。腰椎は人体の上半身の全ての重量が加わる箇所で、この部分を刺激すると腰凝りや腰痛などに効果がある。
【００４３】
（ζ）胸椎反射区は、腰椎反射区から前方へ一直線上に位置する。胸椎の役割は、人体を支えるものなので、これを刺激すると肩の凝りや肩痛、胸の骨が痛いときに効果がある。
【００４４】
（η）頚椎反射区は、足の親部指の第１、第２関節部位に位置し、人体の頭部全体を支え、頭を動かすことができるようにする役割をする。この頚椎を刺激すると、首が痺れるか痛いときや、首が凝っているときに効果がある。
【００４５】
図１６は、背が高くなる効果を有する指圧突起の配置を示す図であって、左右側足裏の（１）腎臓反射区Ｊ５、Ｊ６、Ｋ５、Ｋ６、Ｌ５、Ｌ６、（３）輸尿管反射区Ｍ４、Ｎ４、Ｏ３、Ｏ４、Ｐ３、Ｐ４及び（４）膀胱反射区Ｑ２、Ｑ３、Ｒ２、Ｒ３、Ｓ２、Ｓ３に基づいて、これに合わせて左右側の足裏の（６）脳下垂体反射区Ｂ２、Ｂ３、Ｃ２及び（１０）大脳反射区Ｄ３に相応する部位に指圧突起を更に配置した。
【００４６】
以下、背が高くなることに関連した各反射区を説明すれば次の通りである。
【００４７】
（６）脳下垂体反射区Ｂ２、Ｂ３、Ｃ２は、足の親指の中央に指紋がうずまく地点に位置している。人体内における脳下垂体は、大脳の下方に位置した楕円体からなる内分泌機関であって、硬く、そのサイズは、長さ９〜１１ＭＭ、幅７〜９ＭＭ、高さ６〜８ＭＭ、重さ０．７〜０．８Ｇである。脳下垂体は、前葉、中葉、後葉の三部分に分けられ、ここでは各種のホルモンが分泌されるが、この中で７５％を占める前葉から成長促進ホルモンが分泌され、このホルモンは発育中である子供の成長を促進する。（６）脳下垂体反射区Ｂ２、Ｂ３、Ｃ２を刺激すると、成長促進ホルモンの分泌を助けて、発育中の子供の成長を促進することになる。
【００４８】
また、（１０）大脳反射区Ｄ３は、足の親指の中央に広く分布されている箇所で、人体内における大脳は、脳の約９０％を占めており、精神上の重要な機能を担っている。すなわち、視覚、嗅覚、味覚、聴覚とともに言語、創造、学習、知覚などの領域を主観する機能をする。（１０）大脳反射区Ｄ３を刺激すると、子供の運動感覚及び骨格及び筋肉成長に効果がある。
【００４９】
以上、本発明をたとえ限定された実施形態及び図面に基づいて説明したが、本発明はこれに限定されるものではなく、本発明の属する技術分野における通常の知識を有する者によって本発明の技術思想及び請求項の均等範囲内で多様な改良及び変形が可能であるのは明らかである。
【図面の簡単な説明】
【００５０】
【図１】従来の指圧靴下の指圧突起の配列構造を示す図である。
【図２】従来の指圧靴下の他の構造を示す図である。
【図３】従来の指圧靴下の他の構造を示す図である。
【図４】足裏の反射区を示す図である。
【図５】本発明による指圧靴下に適用された指圧突起の構造を示す図である。
【図６】本発明による指圧靴下に適用された指圧突起の構造を示す図である。
【図７】本発明の一実施形態による指圧突起を示す図である。
【図８】本発明の他の実施形態による指圧突起を示す図である。
【図９】本発明の他の実施形態による指圧突起を示す図である。
【図１０】本発明の他の実施形態による指圧突起を示す図である。
【図１１】本発明の他の実施形態による指圧突起を示す図である。
【図１２】本発明の他の実施形態による指圧突起を示す図である。
【図１３】本発明の他の実施形態による指圧突起を示す図である。
【図１４】本発明の他の実施形態による指圧突起を示す図である。
【図１５】本発明の他の実施形態による指圧突起を示す図である。
【図１６】本発明の他の実施形態による指圧突起を示す図である。
【図１】
2007503531.tif 000003
【図２】
2007503531.tif 000004
【図３】
2007503531.tif 000005
【図４】
2007503531.tif 000006
【図５】
2007503531.tif 000007
【図６】
2007503531.tif 000008
【図７】
2007503531.tif 000009
【図８】
2007503531.tif 000010
【図９】
2007503531.tif 000011
【図１０】
2007503531.tif 000012
【図１１】
2007503531.tif 000013
【図１２】
2007503531.tif 000014
【図１３】
2007503531.tif 000015
【図１４】
2007503531.tif 000016
【図１５】
2007503531.tif 000017
【図１６】
2007503531.tif 000018
【国際調査報告】
2007503531.tif 000019